(57)【要約】      （修正有）【課題】透明な引手で厚みを透してデザインを見せながら、隣室からの光の透過を防いだ引手の提供。【解決手段】引手本体１には円形の凹部３が形成され、凹部３の底部１ｂは透明な材料で構成され、底部１ｂの裏面には装飾用のデザインが施されている。透明な底部１ｂを通してデザインを見ることができ、汚れや傷がつかず、美観を保つことができる。リング８を光を透過しない材質で製作しする事で、隣室の灯りの透過を防止することができる。【選択図】図２
2009203789.tif 000002
【特許請求の範囲】
【請求項１】
仕切上に引手本体を設け、前記引手本体は透明な底部を有し、底部の裏側が見え        ることを特徴とする仕切用装飾引手。
【請求項２】
仕切を挟んで引手本体を２つ設けた請求項１記載の仕切用装飾引手。
【請求項３】
引手本体は透明な材料で構成され、底部が不透明で手を掛ける凹部を持ち、前記        凹部の外側に不透明なリングを設けた請求項２記載の仕切用装飾引手。
【請求項４】
手を掛ける凹部を持ち、前記凹部の側面内側か外側に模様を設けた請求項３記載        の引手
【請求項５】
引手本体とリングとが一体に構成された請求項３から請求項４までいずれか1項        に記載の仕切用装飾引手。
【請求項６】
リング部が分割された請求項３から請求項５までいずれか1項に記載の仕切用装        飾引手。
【請求項７】
引手本体の底部の裏側にデザイン体を設けた請求項１から請求項６までのいずれ        か１項に記載の仕切用装飾引手。
【発明の詳細な説明】
【技術分野】
【０００１】
本発明は襖などの仕切の開閉のための仕切に関するものである。
【背景技術】
【０００２】
一般に襖用引手については、図５で引手本体１に手を掛ける凹部３が設けられていて、引手単体で襖に取りつけて使用する場合、また図６にあるように引手本体１に手を掛ける凹部３がある引手と、本体に手を掛ける凹部５がある雌型引手７とを図７のように組み合わせて使用する場合がある。実公昭４８−４０５９４号は前述の引手本体と雌型引手を組み合わせる方法を採っている。又引手単体で使用する場合は実開平１−１１４７６１の方法がある。
これらの引手本体の底部の表側にデザインを施した従来例はあった。
【特許文献１】実公昭４８−４０５９４号公報
【発明の開示】
【発明が解決しようとする課題】
【０００３】
従来は引手の表側にデザインを施していたので、使用するにつれて汚れたり傷がつくことがあった。またデザインの表現に制限があり美観に優れていないことがあった。透明な材料で構成され引手の裏側のデザインを見せる装飾を施し、機能だけではなく視覚的な感覚を呼び起こす事が目的である。
【課題を解決するための手段】
【０００４】
本発明は引手本体の底部の裏側にデザインを設けて、透明な底部を通してデザインが見えるように構成したものである。また引手本体は透明な材料で構成され、手を掛ける凹部の外側に不透明なリングを設けて、隣室からの光の透過を防止したものである。
【発明の効果】
【０００５】
引手本体の底部を透明にしたことで裏側に設けた装飾デザインが見えるので美観性が高い。
デザイン体が遮光性でリングが不透明であるので隣室からの光が漏れず、特に就寝時にも不快でない。
引手本体の底部裏側にデザインがあるので汚れないし、また傷も付かない。
【発明を実施するための最良の形態】
【０００６】
以下に本発明を襖に応用した実施例を説明する。
【実施例１】
【０００７】
図１の説明例
図１は本発明を襖の引手に応用したものを示したものであり、（Ｂ）は正面断面図で（Ａ）はその平面図である。仕切２の一部を円形状にくり抜き、そこに引手本体１を設け、この引手本体１には円形の凹部３が形成され、その側面１ｃに手を掛けて、仕切２を開閉する。凹部３の底部１ｂは透明な材料で構成され、底部１ｂの裏面には装飾用のデザインが施されている。従って図１の上部から見ると透明な底部１ｂを透して底部１ｂの裏側デザインを見ることが出来る。又隣室の光を利用してデザインを浮かび上がらせる事も可能である。
【実施例２】
【０００８】
図８は引手本体１と雌型本体７とを組み合わせて、仕切の両面から組で使用する場合の実施例であり、透明な底部にデザイン体４をそれぞれ設け、それぞれの部屋から引手のデザインをみることができる。
【０００９】
引手を単体で使用する場合や仕切の両面から組で使用する場合において、透明の素材を使うと光の透過が問題になり、特に寝室のしきりに使用する時には図８のごとく隣室の光が漏れて就寝時非常に気味悪く感じる人が多い事が言われている。組で使用する場合において図８のデザイン体４に光の透過を遮断する素材を使用しても嵌合部７ｄが透明であるため上部から下部へと光が漏れる事が新しい問題となってくる。図６において引手本体１の側面１ｃを透明にし、雌型引手７で手を掛ける凹部５の側面７ｃと、嵌合部７ｄを一体成型しているため透明樹脂で成型すると、隣室の光が透過してくる。
一般的に引手はフスマの両側に使う場合が多いが、このとき透明なので隣室の光が漏れてくる不都合に対して図８の底部１ｂの裏側に設けるデザイン体４を不透明な材質で構成し、嵌合部７ｄを同様に不透明な材質で構成すると光の透過を遮断することが出来る。
【実施例３】
【００１０】
図２は引手本体１を２つ組み合わせて仕切の両側から使用する実施例を示したものである。光の透過を防ぐために手を掛ける凹部３の側面１ｃとリング８を個別に成型し、手を掛ける側面１ｃは透明素材で作り、リング８は光を透過しない材質で作る。またこのリング８は、図４の組み立て図に示すように引手本体１の外周に設けられた嵌合用突起６と組み合わせるための嵌合用すじ９を内側に持つものである。しかも図２のデザイン体４に光の透過を遮断する素材を使用する事で光の隣室への漏れを防止する事が出来る。
図２は引手が光の経路を遮断する事の説明図で、この引手は、主として仕切２を襖としてこれに取りつけた引手本体１と透明な底部１ｂの裏面に貼り付けたデザイン体４とリング８から構成される。図３の拡大図において光が上から入ってくる場合、まず遮光性のデザイン体４で光がブロックされると共にリング８が不透明であるのでここでも光がブロックされるので、結局上側から下側へ光が透過することが出来なくなる。
【００１１】
一般的には引手を取りつけるためにフスマに穴を開けるが、この切り口は結構見劣りのするものである。図２に示すように、リング８が不透明であるのでフスマの切り口のアラが手を掛ける凹部３の側面１ｃを透して見えるのを防ぐ事が出来る。
図４でつば１ａが透明であるとフスマの切り口のアラが見える事がある。この場合引手本体１のつば１ａの裏側に遮光性のデザイン体（図示せず）を設けるとアラが見えなくする事が出来る。
【００１２】
前記の対策を行っても図１１に示すように、リング８とつば１ａの裏側が密着している引手を取付ける際、リングの端面にフスマの切り口のアラ１１が乗っており、これに相手の引手を取りつけるとフスマの切り口のアラ１１がつば１ａとリング８の端面に挟まり表から見えるという不都合が起こってしまう事がある。これを解決するため、図１２に示すようにまず最初にリング８ａの端面をつば１ａの裏に密着させ、しかる後にリング８を装着したもう一つの引手本体１を嵌合させるとフスマの切り口のアラ１１は見えなくなる。
【００１３】
又、リングを分割し、しかもそれぞれを嵌合できる構造として、最初に分割したリング８ｂ,８ｃのそれぞれの端面をつば１ａの裏に密着させておき、まずリング８ｂを装着した引手本体１をフスマに取付け、しかる後に同様にリング８ｃを装着したもう一つの引手本体１を嵌合させるとフスマの切り口のアラ１１は表から見えなくする事が出来る。
【００１４】
襖の厚みが様々で、厚みのあるフスマに引手を取りつけた時、図１４に示すがごとくフスマの切り口のアラが引手凹部の側面７を通して見えてしまう不都合が起こる。この場合に図１５に示すように引手凹部の側面７の内側もしくは外側に模様を付けて光が通りにくくすれば解決する。実際には前述の引手凹部の側面７の内側もしくは外側にローレット状のすじを設けるか、凹凸のデザインを設けるか、不透明なシールを貼るか、塗料等を塗ると光が通りにくくなる。また図１５のごとくひれ付きリング８ｄを［００１３］で述べたように最初につば１ａの裏に密着させ、しかる後にリング８ｃを装着したもう一方の引手本体１を嵌合させるとフスマの切り口のアラは凹部の側面７から見えなくなる。
【００１５】
実際の襖の厚みは11mm−20mmで、引手の外径については30mm−70mm位である。この寸法はこれにこだわらなくても機能は果たせる。
リング８は図１０のごとく内側に嵌合用すじ９を持っており、図４のごとく複数本あると様々な襖の厚みに対応出来るものである。前述の嵌合用すじ９は無くても寸法を合わせれば機能を果たせる。
又デザイン体４は引手との接触面は接着出来るようになっておりその接着面にデザインを載せている。
【００１６】
前述ではデザイン体４が遮光性であり、粘着性であり、図案が載っているが、引手の裏にデザインを直接印刷して、その図案に遮光性の機能をもたせたものでもよい。
また、デザイン体４は遮光性の機能のみを担うものでも良い。このデザインはもちろん無地であっても良い。
また説明図では丸い引手になっているが、これの形状は如何なる形状でも対応出来る物である。引手の透明度は薄い透明からすっきりとした透明まであらゆる透明度に対応できうる。
また、透明であるが故に隣室で電灯がついているかわかりやすいので点灯、消灯の表示にも使える。
又、光が入るとまずい場合で、デザインを目立たせながら引手として使用したい場合に使える。
またデザイン体の交換も可能で、多様なデザインを楽しむことができる。
【産業上の利用可能性】
【００１７】
襖の引手以外にもドア、冷蔵庫等での使用や、戸棚、物入れ、納戸等にも適応出来る。
【図面の簡単な説明】
【００１８】
【図１】本発明の実施例を示す断面図  （Ａ） 正面図    （Ｂ） 平面図
【図２】同  光の経路を遮断する事の説明図
【図３】同  光の経路を遮断する事の拡大図
【図４】同  引手本体とリングの構成図
【図５】従来の引手本体の説明図（背景技術の説明）（Ａ）正面図  （Ｂ）平面図
【図６】同  引手本体と雌型引手の構成図（背景技術の説明）
【図７】同  図６において組み合わせた図（背景技術の説明）
【図８】同  組み合わせた引手で光の透過経路の説明図
【図９】同  図８の光の透過経路の拡大図
【図１０】同  内側に嵌合用の細いすじをもつリングの説明図
【図１１】同  フスマの切り口のアラの挟み込みの説明図
【図１２】同  フスマの切り口のアラをかくす事の説明図
【図１３】同  フスマの切り口のアラをかくす事（リング同士で嵌合）の説明図
【図１４】同  フスマの切り口が側面から見える事の説明図
【図１５】同  フスマの切り口が側面から見えるのをかくす事の説明図
【符号の説明】
【００１９】
１    引手本体
１ａ  つば
１ｂ  底部
１ｃ  凹部の側面
２    仕切
３    凹部
４    デザイン体
５    凹部
６    嵌合用突起
７    雌型引手
７ｃ  凹部の側面
７ｄ  嵌合部
８    リング
８ａ  リング
８ｂ  リング（嵌合）
８ｃ  リング（嵌合）
８ｄ  ひれ付きリング
９    嵌合用すじ
１０  襖
１１  フスマの切り口のアラ
１２  模様
【図１】
2009203789.tif 000003
【図２】
2009203789.tif 000004
【図３】
2009203789.tif 000005
【図４】
2009203789.tif 000006
【図５】
2009203789.tif 000007
【図６】
2009203789.tif 000008
【図７】
2009203789.tif 000009
【図８】
2009203789.tif 000010
【図９】
2009203789.tif 000011
【図１０】
2009203789.tif 000012
【図１１】
2009203789.tif 000013
【図１２】
2009203789.tif 000014
【図１３】
2009203789.tif 000015
【図１４】
2009203789.tif 000016
【図１５】
2009203789.tif 000017